(57)【要約】      （修正有）【課題】前身頃を開閉することなく、隠しポケットに物を出し入れできる上衣を提供する。【解決手段】左右の前身頃２，３と後身頃９を有し、左右の前身頃２，３の中央側端部同士を開閉可能とした上衣１であって、左右の前身頃２，３の夫々の前面に隠しポケット１１〜１４を設け、この左右に設けた隠しポケット１１〜１４の前面側を覆う左右の覆い部材１６，１７を設け、前身頃２，３に対して、左右の覆い部材１６，１７を、その一方の側部と上部１６ａ，１７ａを縫接し、その下部１６ｄ，１７ｄを縫接しないとともに、他方の側部１６ｅ，１７ｅを、前身頃２，３に対して開閉可能に係合した。【選択図】図３
0003180738.tif 000002
【実用新案登録請求の範囲】
【請求項１】
左右の前身頃と後身頃を有し、左右の前身頃の中央側端部同士を開閉可能とした上衣であって、
前記左右の前身頃の夫々の前面に隠しポケットを設け、この左右に設けた隠しポケットの前面側を覆う左右の覆い部材を設け、
前記前身頃に対して、前記左右の覆い部材を、その一方の側部と上部を縫接し、その下部を縫接しないとともに、他方の側部を、前記前身頃に対して開閉可能に係合したことを特徴とする上衣。
【請求項２】
前記左右の覆い部材における他方の側部と前身頃に、互いに係合する係合部材を複数設け、覆い部材の他方の側部を、前記前身頃に対して開閉可能としたことを特徴とする請求項１記載の上衣。
【請求項３】
前記左右の覆い部材における一方の側部は、前記左右の前身頃の中央側部であることを特徴とする請求項１又は２記載の上衣。
【考案の詳細な説明】
【技術分野】
【０００１】
本考案は、上衣に関するものである。
【背景技術】
【０００２】
従来、貴重品等を収納する隠しポケットを、前身頃の内面側に設けた上衣が知られている（例えば、特許文献１参照）。
【先行技術文献】
【特許文献】
【０００３】
【特許文献１】実登３０８８９６８号公報
【考案の概要】
【考案が解決しようとする課題】
【０００４】
しかし、前記従来の上衣では、隠しポケットが前身頃の内面側に設けられているために、隠しポケットに物を出し入れする際には、ボタン等を外して左右の前身頃を開く必要がある。そのため、外気温が低いときでも隠しポケットに物を出し入れする際に前身頃を開ける必要があり、保温されていた空気が外部に逃げてしまうという問題がある。
【０００５】
そこで、本考案は、前身頃を開閉することなく、隠しポケットに物を出し入れできる上衣を提供することを目的とするものである。
【課題を解決するための手段】
【０００６】
前記の課題を解決するために、請求項１記載の考案は、左右の前身頃と後身頃を有し、左右の前身頃の中央側端部同士を開閉可能とした上衣であって、
前記左右の前身頃の夫々の前面に隠しポケットを設け、この左右に設けた隠しポケットの前面側を覆う左右の覆い部材を設け、
前記前身頃に対して、前記左右の覆い部材を、その一方の側部と上部を縫接し、その下部を縫接しないとともに、他方の側部を、前記前身頃に対して開閉可能に係合したことを特徴とするものである。
【０００７】
請求項２記載の考案は、請求項１記載の考案において、前記左右の覆い部材における他方の側部と前身頃に、互いに係合する係合部材を複数設け、覆い部材の他方の側部を、前記前身頃に対して開閉可能としたことを特徴とするものである。
【０００８】
請求項３記載の考案は、請求項１又は２記載の考案において、前記左右の覆い部材における一方の側部は、前記左右の前身頃の中央側部であることを特徴とするものである。
【考案の効果】
【０００９】
本考案によれば、前記左右の前身頃の夫々の前面に隠しポケットを設け、この左右に設けた隠しポケットを覆う左右の覆い部材を設けたことにより、前身頃を開閉することなく、隠しポケットに物を出し入れできるため、上衣内に保温されていた空気が外部に逃げてしまうことがない。
【図面の簡単な説明】
【００１０】
【図１】本考案の実施例における上衣の正面図。
【図２】図１の背面図。
【図３】覆い部材を開いた状態の上衣の正面図。
【図４】第１隠しポケットの正面図。
【図５】第２隠しポケットの正面図。
【図６】第３隠しポケットの正面図。
【図７】第４隠しポケットの正面図。
【考案を実施するための形態】
【００１１】
本考案の上衣は、左右の前身頃の中央側端部同士を、ファスナーやボタン等により開閉可能としたベスト、ジャケット、コート等の上衣であれば、任意のものに適用でき、以下において、本考案をベストに適用した実施例に基づいて説明する。
【００１２】
上衣１は、図１〜３に示すように、右前身頃２と、左前身頃３と、後身頃９と、衿１０と、右覆い部材１６と、左覆い部材１７を有している。この右前身頃２の中央部側端部２ａと、左前身頃３の中央部側端部３ａ同士はファスナー４により開閉可能となっている。なお、ファスナー４以外にも、ボタン等の任意の開閉手段により、左右の前身頃２，３の中央部側端部２ａ，３ａ同士を開閉可能としてもよい。
【００１３】
左右の前身頃２，３の左右方向の一部、本実施例においては、左右方向の外側部は、図３に示すように、メッシュ生地５，６で構成され、通気性を有するようになっている。なお、左右の前身頃２，３は、任意の生地で構成することができる。
【００１４】
また、左右の前身頃２，３の中央部側には、複数の係合部材８，８が設けられている。左右の前身頃２，３に、前記係合部材８を、夫々複数であれば、任意の数設けることができ、本実施例では、係合部材８を、左右の前身頃２，３に、上下方向の中央部と下端部に夫々２個設け、上下の係合部材８と８を、手が挿入できるだけ離間して設けた。
【００１５】
左前身頃３の前面には、上下方向に２個の隠しポケット１１，１２が、右前身頃２の前面には、上下方向に２個の隠しポケット１３，１４が設けられている。
【００１６】
前記右前身頃２の前面側には、前記隠しポケット１３，１４を覆うように、右覆い部材１６が設けられ、該右覆い部材１６の上部１６ａ及び衿周辺部１６ｂと右側部１６ｃが、前記右前身頃２に対して縫接されている。そして、右覆い部材１６の下部１６ｄ及び左右方向の左端部１６ｅは、前記右前身頃２に対して縫接されておらず、右覆い部材１６の下部１６ｄ及び左端部１６ｅが開くようになっている。右覆い部材１６の左端部（中央側部）１６ｅの裏面には、前記係合部材８と係合する係合部材１８が複数設けられている。本実施例においては、係合部材８，１８としてホックを用いた。
【００１７】
前記左前身頃３の前面側には、前記隠しポケット１１，１２を覆うように、左覆い部材１７が設けられ、該左覆い部材１７の上部１７ａ及び衿周辺部１７ｂと左側部１７ｃが、前記左前身頃３に対して縫接されている。そして、左覆い部材１７の下部１７ｄ及び左右方向の右端部（中央側部）１７ｅは、前記左前身頃３に対して縫接されておらず、左覆い部材１７の下部１７ｄ及び右端部１７ｅが開くようになっている。左覆い部材１７の左端部１７ｅの裏面には、前記係合部材８と係合する係合部材１８が複数設けられている。本実施例においては、係合部材８，１８としてホックを用いた。
【００１８】
前記覆い部材１６，１７には、ポケット２２，２２が設けられている。
なお、前記覆い部材１６，１７は、中央側１６ｅ，１７ｅ部を、前身頃２，３に対して縫接し、左右方向の外側部１６ｃ，１７ｃを開閉可能としてもよい。
【００１９】
前記第１隠しポケット１１は、図４に示すように、方形の生地１１ａの外周部を、左前身頃３に縫接して取り付け、この生地１１ａの上下方向に開口部１１ｂを設けて、生地１１ａと左前身頃３との間に収納空間を形成している。また、前記開口部１１ｂは、ファスナー１１ｃにより開閉可能となっている。
【００２０】
前記第２隠しポケット１２は、図５に示すように、方形の第１生地１２ａの両側部と下部を左前身頃３に縫接し、上方は左前身頃３に対し縫接せず、この上方は面ファスナー１２ｂにより開閉可能となっている。第１生地１２ａの前面には、第２生地１２ｃが、その両側部と下部を、第１生地１２ａに縫接し、上方は第１生地１２ａに縫接せず、上方が開口して設けられるとともに、その左右方向に適宜間隔を有し、上下方向に２箇所、第１生地１２ａに縫接され、３つのポケット１２ｅ〜１２ｇに区画されている。この左端のポケット１２ｇは、面ファスナー１２ｆにより開閉可能となっている。
【００２１】
前記第３隠しポケット１３は、図６に示すように、方形の生地１３ａの両側部と下部を右前身頃２に縫接され、生地１３ａと右前身頃２との間に収納空間を形成している。収納空間の上方は開口し、該開口はフラップ２０により開閉可能に設けられている。フラップ２０は、面ファスナ２０ａにより、生地１３ａに対して着脱可能となっている。
【００２２】
前記第４隠しポケット１４は、図７に示すように、方形の生地１４ａの外周部を、右前身頃２に縫接して取り付け、この生地１４ａの上側に開口部１４ｂを設けるとともに、生地１４ａと左前身頃３との間に収納空間を形成している。また、前記開口部１４ｂは、ファスナー１４ｃにより開閉可能となっている。
【００２３】
なお、前記隠しポケット１１〜１４は、前身頃２，３の前面で、かつ、覆い部材１６，１７に覆われていれば、その数、形状、配置は、任意に設定することができる。
【００２４】
本考案の上衣１は、前身頃２，３の前面に、隠しポケット１１〜１４を設け、この隠しポケット１１〜１４を覆う覆い部材１６，１７を設けたことにより、覆い部材１６，１７を閉じた状態では、隠しポケット１１〜１４を外部から視認することができない。また、隠しポケット１１〜１４を設け、これに収納物を収納したり、収納物を取り出す際に、左右の前身頃２，３同士を開く必要がなく、上衣１内で保温されていた空気が外部に逃げてしまうことがない。
【００２５】
また、覆い部材１６，１７を、複数の係合部材８，１８により、前身頃２，３に対して、開閉可能に係合したことにより、覆い部材１６，１７を開くことにより、隠しポケット１１〜１４内に収納物を収納したり、収納物を容易に取り出すことができる。
【００２６】
また、上下に離間して設けた複数の係合部材８（１８）を用いて、覆い部材１６，１７と前身頃２，３の相互間を閉じているために、覆い部材１６，１７と前身頃２，３を閉じた状態でも、覆い部材１６（１７）と前身頃２（３）との間に中央部側２ａ，３ａから手を挿入することができ、隠しポケット１１〜１４内に収納物を収納したり、収納物を容易に取り出すことができる。
【００２７】
また、覆い部材１６，１７を、その上部１６ａ，１６ｂ，１７ａ，１７ｂと左右方向の外側部１６ｃ，１７ｃを前身頃２，３に対して縫接したことにより、係合部材８と１８とを係合していない状態でも、覆い部材１６，１７が自重により閉じるために、隠しポケット１１〜１４が外部から視認しにくい。
【符号の説明】
【００２８】
１  上衣
２，３  前身頃
８，１８  係合部材
１１，１２，１３，１４  隠しポケット
１６，１７覆い部材
【図１】
0003180738.tif 000003
【図２】
0003180738.tif 000004
【図３】
0003180738.tif 000005
【図４】
0003180738.tif 000006
【図５】
0003180738.tif 000007
【図６】
0003180738.tif 000008
【図７】
0003180738.tif 000009